(57)【要約】  無線リソースの比較評価方法であって、前記方法は、ビームによって搬送される専用ＲＡＣＨリソースの品質メトリックを査定するステップと、ビームによって搬送されるパブリックＲＡＣＨリソースの品質メトリックを査定するステップと、前記リソースの前記査定された品質メトリックを比較評価するステップと、および比較評価結果を記憶又は伝送し、又は前記比較評価結果に従ってさらなる措置を取るステップとを含む。
2021501507.tif 000002
【特許請求の範囲】
【請求項１】
無線リソースの比較評価方法であって、
ビームによって搬送される専用ＲＡＣＨリソースの品質メトリックを査定し、およびビームによって搬送されるパブリックＲＡＣＨリソースの品質メトリックを査定するステップと、
前記リソースの前記査定された品質メトリックを比較評価するステップと、
比較評価結果を記憶又は伝送し、又は前記比較評価結果に従って更なる措置を取るステップとを含む、前記無線リソースの比較評価方法。
【請求項２】
前記査定は、
第１のビーム（２１）によって搬送される専用ＲＡＣＨリソースの第１の品質メトリックｑＡを査定することと、
第２のビーム（２２）によって搬送されるパブリックＲＡＣＨリソースの第２の品質メトリックｑＢを査定することとを含み、
前記比較評価は、
設定された品質偏差メトリックｑＯを取得することと、および
前記第２の品質メトリックｑＢが、前記第１の品質メトリックｑＡに対する品質偏差が少なくとも前記設定された品質偏差メトリックｑＯであることを指示する場合、第２の決定を行い、そうでない場合、第１の決定を行うこととを含む、
請求項１に記載の無線リソースの比較評価方法。
【請求項３】
移動通信におけるターゲットノードへのハンドオーバプロセスに対する無線リソース管理を含み、前記無線リソース管理は、
ａ）０より大きいか等しい前記設定された品質偏差メトリックｑＯの値を取得するステップと、および
ｂ）パブリックＲＡＣＨリソースを使用した前記第２の決定を行い、そうでない場合、専用ＲＡＣＨリソースを使用した前記第１の決定を行うステップとを含む、
請求項２に記載の無線リソースの比較評価方法。
【請求項４】
利用可能な他の決定がない場合、デフォルトの決定は、前記専用ＲＡＣＨリソースを使用することである、
請求項２又は３に記載の無線リソースの比較評価方法。
【請求項５】
前記設定された品質偏差メトリックｑＯは、所定の絶対値又は前記第１の品質メトリックｑＡ又は前記第２の品質メトリックｑＢに対する所定の値であってもよく、及び／又はネットワークトラフィック及び／又は負荷分散要求に従って決定される、
前記請求項のいずれか一項に記載の無線リソースの比較評価方法。
【請求項６】
前記設定された品質偏差メトリックｑＯは、ノードからユーザ装置に伝送され、好ましくはＲＡＣＨ構成情報と共に伝送され、好ましくはハンドオーバ命令メッセージで及び／又はブロードキャストシステム情報メッセージで伝送され、前記ノードは、好ましくは前記ターゲットノードである、
前記請求項のいずれか一項に記載の無線リソースの比較評価方法。
【請求項７】
前記第１の品質メトリックｑＡ及び／又は前記第２の品質メトリックｑＢは、信号対雑音比を含む、
前記請求項のいずれか一項に記載の無線リソースの比較評価方法。
【請求項８】
同期信号ブロック（ＳＳＢ）又はチャネル状態情報参照信号（ＣＳＩ−ＲＳ）に従って、前記第１の品質メトリックｑＡを査定する、
前記請求項のいずれか一項に記載の無線リソースの比較評価方法。
【請求項９】
技術的品質と他の品質に従って、前記第１の品質メトリックｑＡ及び／又は前記第２の品質メトリックｑＢ及び／又は前記設定された品質偏差メトリックｑＯを査定する、
前記請求項のいずれか一項に記載の無線リソースの比較評価方法。
【請求項１０】
対応するビームに対する関連ユーザ装置の動きに従って、前記第１の品質メトリックｑＡ及び／又は前記第２の品質メトリックｑＢ及び／又は前記設定された品質偏差メトリックｑＯを査定する、
前記請求項のいずれか一項に記載の無線リソースの比較評価方法。
【請求項１１】
前記第２の品質メトリックｑＢは、参照信号受信電力値（ＲＳＲＰ）及び／又は参照信号受信品質値（ＲＳＲＱ）として査定される、
前記請求項のいずれか一項に記載の無線リソースの比較評価方法。
【請求項１２】
前記決定に対して、複数の利用可能な品質メトリック査定方法のうちの１つを選択し、および複数の利用可能な品質メトリック査定方法のうちの１つの対応する選択に対して、対応する複数の利用可能な設定された品質偏差メトリックｑＯを提供する、
前記請求項のいずれか一項に記載の無線リソースの比較評価方法。
【請求項１３】
前記方法は、１つ又は複数の５Ｇ  ＮＲ仕様に従って構成される、
前記請求項のいずれか一項に記載の無線リソースの比較評価方法。
【請求項１４】
前記決定は、前記ユーザ装置（１０）で行われる、
前記請求項のいずれか一項に記載の無線リソースの比較評価方法。
【請求項１５】
前記決定は、基地局（１１〜１４）からのハンドオーバ命令によってトリガされ、又はユーザ装置（１０）によって自律的にトリガされ、好ましくは前記ユーザ装置（１０）の１つ又は複数の内部状態又はイベント又は決定に従ってトリガされ、前記決定は、好ましくは、同期した再構成を行う時にトリガされ、及び／又は周期的にトリガされる、
前記請求項のいずれか一項に記載の無線リソースの比較評価方法。
【請求項１６】
前記決定は、ノード（１１〜１４）との接続を確立するために、ユーザ装置（１０）によってランダムアクセスプロセスに使用され、それにより、選択された第１のビーム（２１）又は第２のビーム（２２）によって、前記ユーザ装置（１０）からの暗黙的又は明示的な情報を前記ノード（１１〜１４）に送信する、
前記請求項のいずれか一項に記載の無線リソースの比較評価方法。
【請求項１７】
移動通信における無線リソースの比較評価装置であって、
専用ＲＡＣＨリソースの品質メトリックｑＡとパブリックＲＡＣＨリソースの品質メトリックｑＢを査定するための装置であって、前記リソースが１つ又は複数のビームによって搬送される装置と、
前記査定された品質メトリックの間で比較評価を行うための評価装置と、および
比較評価結果を記憶及び／又は伝送し、及び／又は前記比較評価結果に従ってさらなる措置を取るための装置とを備える、前記移動通信における無線リソースの比較評価装置。
【請求項１８】
前記査定装置は、
第１のビーム（２１）によって搬送される専用ＲＡＣＨリソースの第１の品質メトリックｑＡを査定するための装置と、
第２のビーム（２２）によって搬送されるパブリックＲＡＣＨリソースの第２の品質メトリックｑＢを査定するための装置とを含み、
前記比較評価装置は、
設定された品質偏差メトリックｑＯを取得するための装置と、
前記第２の品質メトリックｑＢが、前記第１の品質メトリックｑＡに対する品質偏差が少なくとも前記設定された品質偏差メトリックｑＯであることを指示する場合、第２の決定を行い、そうでない場合、第１の決定を行うための決定装置とを含む、
請求項１７に記載の移動通信における無線リソースの比較評価装置。
【請求項１９】
移動通信におけるターゲットノードへのハンドオーバプロセスのための無線リソース管理装置を含み、前記無線リソース管理装置は、
ａ）前記第１の品質メトリックｑＡと前記第２の品質メトリックｑＢを査定するように構成される前記査定装置と、
ｂ）０より大きいか等しい前記設定された品質偏差メトリックｑＯの値を取得するように構成される前記取得装置と、
ｃ）パブリックＲＡＣＨリソースを使用した前記第２の決定を行い、そうでない場合、専用ＲＡＣＨリソースを使用した前記第１の決定を行うように構成される前記決定装置とを含む、
請求項１８に記載の移動通信における無線リソースの比較評価装置。
【請求項２０】
移動通信のための装置のデータメモリであって、
前記データメモリは、０より大きいか等しい設定された品質偏差メトリックｑＯの保存に適用し、前記設定された品質偏差メトリックｑＯがハンドオーバプロセスに適用して、移動装置が専用ＲＡＣＨリソースを搬送する第１のビーム又はパブリックＲＡＣＨリソースを搬送する第２のビームをアクセスノードのアクセスチャネルとして使用するかを決定し、第２のビームの第２の品質メトリックｑＢが第１のビームの第１の品質メトリックｑＡより高い品質を指示し、且つ前記第２の品質メトリックｑＢによって指示される品質が前記第１の品質メトリックｑＡによって指示される品質に対して少なくとも前記設定された品質偏差メトリックｑＯほど外れる場合、前記第２のビームを使用し、前記設定された偏差メトリックｑＯは前記データメモリに保存される、前記移動通信のための装置のデータメモリ。
【請求項２１】
データキャリアであって、
実行可能なコードを保存し、前記コードが実行される場合、上述した方法請求項のいずれか一項に記載の方法を実現する、前記データキャリア。
【発明の詳細な説明】
【背景技術】
【０００１】
ＬＴＥやＬＴＥ−Ａ（ロング・ターム・エボリューション、ロング・ターム・エボリューション・アドバンスト）などの現代セルラシステムと将来の５Ｇ  ＮＲ（第５世代のニューラジオ）では、ハンドオーバプロセスは、ユーザ装置（ＵＥ）と現在の（サービング）ネットワークノードの現在使用する無線リソースとの接続を切断し、ＵＥと新しい（ターゲット）ネットワークノードからの新しい無線リソースとの接続に用いられる。
【０００２】
ＵＥがターゲットネットワーク（ＮＷ）ノードから割り当てられた新しい無線リソースの使用し始めることができる前に、同期プロセスとランダムアクセスプロセスを実行する必要がある。ＵＥが既にターゲットＮＷノードと同期した後、ＵＥは、該ＵＥ自体とＮＷノードの間でビットを送受信することができる。その後、該ＵＥは、ターゲットセルへのランダムアクセスプロセスを開始することができる。
【０００３】
同期した後、ランダムアクセスチャネル（ＲＡＣＨ）でのランダムアクセスプロセスは競合に基づくものであってもよいし、競合のないものであってもよく、具体的に、アクセスプロセスにパブリックＲＡＣＨリソースを使用するか、又は専用ＲＡＣＨリソースが使用されるかに依存する。物理ＲＡＣＨ（ＰＲＡＣＨ）リソースは、時間（サブフレーム）、周波数とプリアンブルシーケンスで標識される。システム情報メッセージ（例えば、システム情報ブロック（ＳＩＢ）ＳＩＢ１又はＳＩＢ２）を使用して各セルでパブリックＰＲＡＣＨリソース構成をブロードキャストし、そしてこれらのブロードキャストされたリソースは、該セルへのアクセスを試みるいずれかのＵＥによって使用されてもよい。簡単な統計によれば、これは複数のＵＥが同じＰＲＡＣＨリソースを選択してターゲットセルにアクセスすることを引き起こし、それにより、同じリソースを使用するＵＥ間で競合することがある。複数のＵＥが同じＰＲＡＣＨリソースによるアクセスを試みる場合、１つのＵＥは成功するが、他のＵＥは新しいリソースを選択し、その後再度アクセスを試みる必要がある。
【０００４】
ハンドオーバプロセスでは、ターゲットＮＷノードはさらに競合のないアクセスに用いられる特定のＵＥに専用ＰＲＡＣＨリソース構成を提供することができる。これにより、ターゲットセルへのアクセスをより速く且つより確実にすることができる。
【０００５】
ＬＴＥとＬＴＥ−Ａでは、ハンドオーバプロセス期間にセルレベルの専用ＰＲＡＣＨ構成が提供される。ターゲットＮＷノードは既にＵＥ無線リソース管理（ＲＲＭ）測定に基づいてターゲットセルを選択した。
【０００６】
５Ｇ  ＮＲでは、ＰＲＡＣＨ構成をビームレベルで提供することができる。５Ｇ  ＮＲに使用する１つのビームでカバーできる領域はセルよりもはるかに小さく、そして１つのセルに伝送ポイント（ＴＲＰ）が複数であってもよく、１つのＴＲＰが複数のビームを処理することができる。従って、ＬＴＥとＬＴＥ−Ａでは、ハンドオーバプロセスに複数の専用ＰＲＡＣＨリソースをＵＥに提供する必要がある。
【０００７】
１つの方法として、ターゲット次世代ＮｏｄｅＢ（ｇＮＢ）は、同期信号（ＳＳ）ブロック（ＳＳＢ）又はチャネル状態情報基準情報（ＣＳＩ−ＲＳ）に関連付けられたビームレベルの専用ＲＡＣＨリソースを割り当てることができ、そしてＴＳ  ３６．３３１及びＴＳ  ３８．３３１に従い、またＴＳ  ３８．３００を参照することができ、該専用ＲＡＣＨリソース情報（構成）は、ハンドオーバプロセス期間にハンドオーバ命令メッセージ（ＲＲＣＣｏｎｎｅｃｔｉｏｎＲｅｃｏｎｆｉｇｕｒａｔｉｏｎ）でＵＥに伝送されてもよい。ターゲットｇＮＢは、さらにアクセスターゲットセルに対して有効なパブリックＲＡＣＨリソース構成を含むべきである。
【０００８】
２０１７年１０月９日から１３日にチェコ共和国のプラハで開催された３ＧＰＰ  ＴＳＧ  ＲＡＮ  ＷＧ２＃９９ｂｉｓ会議で発表された論文「Ｄｉｓｃｕｓｓｉｏｎ  ｏｎ  ｈｏｗ  ｔｈｅ  ｄｅｄｉｃａｔｅｄ  ＲＡＣＨ  ｒｅｓｏｕｒｃｅｓ  ｓｈｏｕｌｄ  ｂｅ  ｐｒｉｏｒｉｔｉｚｅｄ（専用ＲＡＣＨリソースの優先順位をどのように決定するかについての議論）」（３ＧＰＰ  ＴＳＧ  ＲＡＮ  ＷＧ２＃９９ｂｉｓ  Ｒ２−１７１１７６６）では、５Ｇ  ＮＲで、ＵＥがハンドオーバ（ＨＯ）命令を受信した後に、ビームの品質の測定を続けて専用ＲＡＣＨリソースが適切であるか否かを検証することが提案された。ＵＥは、適切な専用ＲＡＣＨを試みるべきであり、適切な専用ＲＡＣＨリソースがない場合のみ、ＵＥはパブリックＰＲＡＣＨリソースを使用するようにフォールバックするべきである。
【０００９】
したがって、パブリックＰＲＡＣＨリソースと比較して、ＵＥが専用ＲＡＣＨリソース（構成された場合）の適切なビームを優先的に考慮することが提案される。適切なビームは、（ａ）ＳＳＢ又はＣＳＩ−ＲＳで標識されること、（ｂ）専用ＲＡＣＨリソースが割り当てられること、及び（ｃ）測定されたビーム品質、例えば、ＮＷがハンドオーバ（ＨＯ）命令メッセージで示される閾値より高い参照信号受信電力値（ＲＳＲＰ）及び／又は参照信号受信品質値（ＲＳＲＱ）を有することのそれぞれを満たすビームに限定される。利用可能な専用リソースを備えたいずれかの適切なビームが存在する限り、ＵＥはパブリックリソースを使用してアクセスすることを許可しないと考えることができる。
【００１０】
しかし、無線条件が迅速に変化し、特にスモールセル環境でビームスキャンとＵＥのモビリティにより無線条件が迅速に変化するため、専用リソースを備えたビームのみによるターゲットセルへのアクセスを試みることが、ＵＥに対して、さらにネットワーク全体に対して常に有益であることは保証できない。専用リソースが割り当てられた後、ＲＲＭ条件は既に変化した可能性がある。品質レベルが依然として閾値より高くても、専用リソースを備えたビームよりも品質が明らかに良い他のビームが存在する可能性があり、したがって、ネットワークリソースの消費、遅延などの観点から、専用リソースを備えたビームを厳しく使用することが常に最も効果的な方法ではない可能性がある。例えば、ハンドオーバの直後に、例えばＵＥが専用リソースを備えたビームから離れている場合、追加のビーム／セルの変更が発生する可能性がある。
【００１１】
その場合、専用リソースを備えたビームに到達するＨＯが終了した後、ＵＥは、別のビーム／セルの変更を直ちに実行する必要がある可能性が高い。これらの追加のビーム／セルの変更により、端末ユーザとシステム性能が低くなる。
【００１２】
より一般的には、専用ＲＡＣＨリソースの品質とパブリックＲＡＣＨリソースの品質を比較評価する必要がある。例えば、このようにするのは、意味のあるネットワーク統計を取得したり、適応型ネットワーク設定を提供したりするために必要がある可能性がある。それに対応して、ハンドオーバを管理する特定のターゲットがない場合、専用ＲＡＣＨリソースとパブリックＲＡＣＨリソースの間の品質関係も注目に値する。
【発明の概要】
【発明が解決しようとする課題】
【００１３】
本発明は、専用ＲＡＣＨリソースとパブリックＲＡＣＨリソースに柔軟且つ適切な比較評価を提供することができる無線リソース評価方法を提供することを目的とする。
【００１４】
該目的は、独立請求項の特徴によって達成される。
【課題を解決するための手段】
【００１５】
移動通信における無線リソースの比較評価方法は、無線ビームの専用ＲＡＣＨリソースの品質メトリックと無線ビームのパブリックＲＡＣＨリソースの品質メトリックを査定するステップと、比較評価において前記査定された品質メトリックを使用するステップと、および比較評価結果を記憶又は送信又はさらに使用するステップとを含む。
【００１６】
前記比較評価は、前記査定された品質メトリックの間の実際の差及び／又は比を形成することと、および前記実際の差及び／又は比を１つ又は複数の閾値と比較することとを含むことができる。前記実際の差及び／又は比は、前記査定された品質メトリックとの間の実際の品質偏差と見なされて呼ばれてもよい。該１つ又は複数の閾値は、設定された品質偏差メトリックと見なされて呼ばれてもよい。
【００１７】
該方法は、設定された品質偏差メトリックを取得することと、第２の品質メトリックが少なくとも前記設定された品質偏差メトリックほど第１の品質メトリックを超える場合、第２の決定を行い、そうでない場合、第１の決定を行うこととをさらに含むことができる。前記決定は、対応する評価結果と可能な関連データをデータタプル（例えば第１の品質メトリック及び／又は第２の品質メトリック、それらの実際の偏差及び／又は取得された、設定された品質偏差メトリック、日付、時間、位置、関連する可能性があるネットワーク設定）として記憶又は伝送して簡単に後続評価を行い、又は取得されたデータを（例えばネットワーク統計の決定、ネットワーク構成パラメータの設定、ハンドオーバ管理など）他の措置又はプロセスに用いることであってもよい。
【００１８】
無線リソースを比較評価するための対応装置をさらに提供する。
【００１９】
専用ＲＡＣＨリソースの品質メトリック又はパブリックＲＡＣＨリソースの品質メトリックは、これらのリソースを搬送する無線ビームの品質メトリックであってもよい。
【００２０】
ハンドオーバを参照すると、いくつかの場合で、ＵＥがビーム変更及び／又はセル変更プロセスにもパブリックリソースを備えたビームによってターゲットＮＷにアクセスし、ハンドオーバ直後に利用可能な最適サービスレベルが得られることを確保し、および不要な追加のビーム／セルの変更を回避することに有益であり、該余分な変更が、特にＵＥが専用リソースを備えたビームから離れた場合に発生することができる。「いくつかの場合」は、異なるビームによって搬送される専用ＲＡＣＨリソースとパブリックＲＡＣＨリソースがいずれも利用可能であり、そして専用リソースを備えない（即ちパブリックＲＡＣＨリソースを備えた）ビームの信号品質が専用リソースを備えたビームの信号品質より著しく高い場合であってもよい。ＵＥが専用リソースを備えたビームの範囲外に移動することが既知である場合であってもよい。
【００２１】
移動通信におけるターゲットノードへのハンドオーバプロセスのための無線リソース管理方法は、無線ハンドオーバプロセスで、専用ＲＡＣＨリソースを搬送する無線ビームを使用するか、又はパブリックＲＡＣＨリソースを搬送する無線ビームを使用するかを決定するステップと、および前記決定に従ってビームを選択及び使用するステップとを含む。前記決定を行うことは、第１のビームにおける専用ＲＡＣＨリソースの第１の品質メトリックを査定することと、第２のビームにおけるパブリックＲＡＣＨリソースの第２の品質メトリックを査定することと、０より大きいか等しい設定された品質偏差メトリックを取得することと、第２の品質メトリックが少なくとも設定された品質偏差メトリックほど第１のビームを超える場合、第２のビームを使用することを決定し、そうでない場合、第１のビームを使用することを決定することとを含む。
【００２２】
このようにして、一方では、専用ＲＡＣＨリソースを備えた第１のビームが優先であることを保証するが、いくつかの条件でもパブリックＲＡＣＨリソースを搬送する第２のビームを使用することができる。
【００２３】
上述したように、上記ビームの間の選択は、品質に基づいて考慮される。ここで、これらの品質について、例えば信号強度と信号品質などの技術的特性を考慮することができることが指摘される。しかし、他の品質特性、例えば組織又はサービス品質、例えば予想耐用年数などを考慮することもできる。予想耐用年数について、例えばＵＥの移動モードなどにより、ＵＥがターゲットビームの範囲から速く離れる可能性が高いことを考慮することができる。従って、上記品質について、技術的品質といくつかの組織又は管理品質を同時に考慮することができ、これらの品質が既知のもの又はキャプチャ可能なもの、例えば合理的な信頼性を有する統計により考えてキャプチャされるものと考慮すればよい。
【００２４】
リソース間の品質比較がリソースについて判断するための直接標準ではないため、専用ＲＡＣＨビームは、パブリックＲＡＣＨビームよりも優先である。代わりに、リソース間で、設定された品質偏差が限定され、そしてパブリックリソースＲＡＣＨビームの品質が専用リソースＲＡＣＨビームの品質を少なくとも前記設定された品質偏差ほど超える場合のみ、パブリックリソースＲＡＣＨビームを選択する。これにより、ＵＥがパブリックリソースＲＡＣＨビームを例外的に指し示すだけであるため、パブリックリソースＲＡＣＨビームを競合する時に、競合の可能性がある状況（ｃｏｎｔｅｎｔｉｏｎ−ｌｉｋｅｌｙ  ｓｉｔｕａｔｉｏｎｓ）に体系的に陥らないことが確保される。
【００２５】
上述した特定の決定を行わない限り、第１のビームを決定に使用することができることがデフォルトされるため、専用ＲＡＣＨリソースを備えたビームが依然として優先である。
【００２６】
該設定された品質偏差メトリックは、実際に査定された品質メトリック間の関係から好ましく独立して与えられた、又は決定されたシステムパラメータであってもよい。該設定された品質偏差メトリックは、第１の品質メトリック又は第２の品質メトリックの一方に対する所定の絶対値又は所定の値であってもよく、又は自体標準に従って技術的及び／又は組織的なシステムパラメータなどよって決定されてもよい。
【００２７】
設定された品質偏差メトリックを適切に設定することにより、メッセージをパブリックＲＡＣＨリソースビームの範囲外に転送することは制御可能である。状況に応じて、該設定された品質偏差メトリックの値を固定又は相対にすることができ、又は適切な標準（例えば負荷条件、チャネル条件など）に従って該値を決定することができる。
【００２８】
設定された品質偏差メトリックは固定されてもよく、そしてユーザ装置に記憶されて該装置に使用さられてもよい。しかし、同様に、該設定された品質偏差メトリックは他の箇所で決定されてもよく（例えば基地局又はノードで決定され）、そしてＵＥに伝送されてもよい。その後、該設定された品質偏差メトリックがＲＡＣＨ構成情報と共に伝送されてもよく、ハンドオーバ命令メッセージ及び／又はブロードキャストシステム情報メッセージで伝送されることが好ましい。
【００２９】
設定された品質偏差メトリックがノード又は他の近くの地上ネットワークコンポーネントで決定される場合、ＵＥにとって未知の状況（ネットワークトラフィックなど）を考慮することができる。
【００３０】
一般的には、設定された品質偏差メトリックは正の値又は負の値であってもよく、又はゼロであってもよい。該設定された品質偏差メトリックの値が適応型ネットワーク管理プログラムの影響を受け、該プログラムによって変更される可能性がある。技術及び／又は管理及び／又はサービス特性は設定された品質偏差メトリックを設定及び変更するために使用されてもよいため、パブリックＲＡＣＨリソースと専用ＲＡＣＨリソースの間の負荷分散に直接又は間接的に影響がある。
【００３１】
第１の品質メトリック及び／又は第２の品質メトリックは、信号対雑音比（Ｓ／Ｎ  ｒａｔｉｏ）であってもよい。ここで、例えば上述した他の品質は、同等のＳ／Ｎ値として計算されてもよく、そして全ての望ましい要因（即ち技術的要因、組織的要因など）を反映するための単一のメトリックとして計算されてもよいと考慮されることが指摘されるべきである。
【００３２】
しかし、Ｓ／Ｎ値の代わりに、他の適切な量子化、例えば信号強度を使用することもできる。
【００３３】
同期信号ブロックによって、及び／又は一般的な状態情報参照信号にしたがって、第１の品質メトリックを査定することができる。これらの値が各ユーザ装置に対して主観的であるべきであり、そのため各ＵＥで品質メトリックの関連決定を行うことができる。ＵＥは上記信号を受信し、そして受信された信号に基づいて上記メトリックを決定する。
【００３４】
具体的には、関連するリソース又はビームの第１の品質メトリック及び／又は第２の品質メトリックを決定する場合、注目されるＵＥの動きに従って該品質メトリックを査定することもできる。ＵＥの動きが速度及び方向において既知であってもよく、従って、ＵＥが関連するビームからいつ離れるかを知ることができる。残りの持続時間が比較的短いことが発見された場合、これは、サービス／組織品質のいくつかの低下と見なされてもよく、これは、さらなる変化がすぐに発生する可能性があり、そして関連するリソース又はビームの全体的な品質メトリックとして計算されてもよいためである。その後、各リソース又はビームの各品質メトリックは現在の瞬時の技術状況（例えば信号強度と信号品質）を反映するだけでなく、いくつかの組織状況などを反映する。
【００３５】
技術状況について、参照信号受信電力値及び／又は参照信号受信品質値に基づき、比較されるリソース（専用ＲＡＣＨリソースとパブリックＲＡＣＨリソース）又はビームの少なくとも１つ又は２つの品質メトリックを取得することができる。その後、取得された品質メトリックも技術的考慮事項を適切に反映する。
【００３６】
複数の利用可能な方法のうちの１つによって第１の品質メトリック及び／又は第２の品質メトリックを選択的に査定することができる。対応する複数の利用可能な設定された品質偏差メトリックを提供し、品質査定方法の選択に対応して複数の設定された品質偏差メトリックのうちの１つを選択することができる。このような配置により、適切な品質査定方法を選択することが確保されることができる。異なる品質査定方法は、ＲＳＲＰ測定、ＲＳＲＱ測定及び／又はその他の方法であってもよい。その後、ＲＳＲＰ、ＲＳＲＱ又は他のオプションの選択に従って対応する設定された品質偏差を提供及び選択することができる。
【００３７】
全般的には、本発明の方法は、５Ｇ  ＮＲ仕様に従って構成され、そして５Ｇ  ＮＲフレームワークで実行するように構成される。特に、該方法は、ハンドオーバに関し、例えばビーム変更期間に、好ましくはセル変更と組み合わせてハンドオーバし、該ハンドオーバがノードによって開始されてもよい。ハンドオーバが命令された後、該ハンドオーバ自体は、ユーザ装置（ＵＥ）と関連ノードとの同期から開始することができる。その後、システム情報をＵＥにダウンロードして、アプリケーションプロトコルの各レベルでの設定を知ることができる。その後、ＲＡＣＨプロセスを実行することができる。この場合、専用ＲＡＣＨリソースを搬送するビームとパブリックＲＡＣＨリソースを搬送するビームの両方が全て利用可能であると、専用ＲＡＣＨリソースを搬送するビーム又はパブリックＲＡＣＨリソースを搬送するビームを使用する上記した問題が発生し、そして該問題を以上のように解決する。ＲＡＣＨプロセス（競合解決策を含むことができる）が完了された後、新しい接続の確立が完了される。
【００３８】
パブリックＲＡＣＨリソースビームを使用するか、専用ＲＡＣＨリソースビームを使用するかの決定は、言及された標準に従ってＵＥで行われてもよい。該上記標準は、必要な値、特に上記の品質メトリック及び設定された品質偏差を取得し、上記の決定を行うことに適用する。しかし、同様に、ＵＥは外部から前記決定に関する指示のみを受信することができ、ここで、該決定自体が外部で行われる。その後、ＵＥは関連指示を記憶し且つ必要な時に該指示を使用する。
【００３９】
そして、ＵＥ又は他の箇所で様々なリソースの品質査定を行うことができ、そして必要な場合、特に上記決定を行う必要がある場合、ニーズに応じてエンティティ間で該様々なリソースの品質査定を伝送することができる。最後に、設定された品質偏差メトリックは、いくつかの標準に従ってＵＥで決定されてもよく、又は該設定された品質偏差メトリックはＵＥによって受信されて記憶され且つ必要な時に使用されてもよい。
【００４０】
実際のハンドオーバプロセスにおいて、実際のニーズに応じて比較評価又は決定を行うことができる。しかし、同様に、該比較評価と決定も事前に行われてもよく、それにより、後で必要な時に直ちに利用できる。事前に行う場合、該比較評価と決定の結果は、使用のために記憶されてもよい。従って、受信されたハンドオーバ命令又は送信された命令によって該決定をトリガすることができ、又は予防的にトリガし、例えば定期的にトリガし、又は特定のシステム状態又はイベント（例えば位置の変更、無線パラメータの変更、同期した再構成（ｒｅｃｏｎｆｉｇｕｒａｔｉｏｎ  ｗｉｔｈ  ｓｙｎｃ）など）によってトリガすることができる。
【００４１】
本発明によれば、無線リソースの比較評価及び／又は無線リソース管理装置が提供される。１つの態様では、それは様々な選択で上記方法を実現するための装置と見なされてもよい。
【００４２】
無線リソース管理装置は、一般的に、ランダムアクセスプロセスにおけるビーム変更又はセル変更において専用ＲＡＣＨリソースビームを使用するか、パブリックＲＡＣＨリソースビームを使用するかを決定するための決定装置を備える。該無線リソース管理装置は、さらに前記決定に従ってビームを選択するための選択装置を備える。該決定装置は、第１のビームにおける専用ＲＡＣＨリソースの第１の品質メトリックを査定するように構成される第１の査定装置と、第２のビームにおけるパブリックＲＡＣＨリソースの第２の品質メトリックを査定するように構成される第２の査定装置と、０より大きいか等しい設定された品質偏差メトリックを取得するように構成される取得装置と、パブリックＲＡＣＨリソースビームの品質が専用ＲＡＣＨビームの品質メトリックより高く、専用ＲＡＣＨビームの品質メトリックから少なくとも設定された品質偏差メトリックほど外れる場合、該パブリックＲＡＣＨリソースビームを使用することを決定し、そうでない場合、専用ＲＡＣＨビームを使用することを判断するように構成される判断装置とを含む。
【００４３】
上記装置は、異なるコンポーネントが異なる物理エンティティに位置し、必要な値が送信される分散型装置であってもよいことが指摘されるべきである。特に、該装置は、ＵＥと、固定ノード又はより多くの遠隔固定コンポーネントのような固定コンポーネントとの間に分散されてもよい。該装置が分散型である場合、必要な情報の交換を提供して必要な情報を適切に提供する。しかし、同様に、該装置は、独立した装置、例えば上記の品質査定を行い且つ予め記憶又は決定された、設定された品質偏差メトリックを有するＵＥであってもよい。
【００４４】
説明される方法又は装置の実施に寄与する部分は、適切に書かれたコンピュータコードである。従って、本発明の一部は、実行可能なコードを格納するデータキャリアであり、該実行可能なコードが実行される時に上記方法又は上記装置を実施する。
【００４５】
また、本発明の１つの態様は、上記の設定された品質偏差メトリックと該メトリックを保存するメモリに関する。それに対応して、上記の設定された品質偏差メトリックを保存し、上記方法又は装置の要求に応じる該メトリックの受信及び解放に適用する記憶素子も本発明の一部である。実施の詳細に依存し、このような記憶素子は、ＵＥ、又はノードなどの固定装置、又は両方に位置してもよい。
【図面の簡単な説明】
【００４６】
【図１】特定の物理レイアウトに位置する無線セルの平面図である。
【図２】方法のフローチャートである。
【図３】査定された品質メトリックと設定された品質偏差メトリックとの間の可能な関係のマッピングを示す。
【発明を実施するための形態】
【００４７】
以下に図面を参照して本発明の他の態様を説明する。以下では、さらにハンドオーバプロセスについて、本発明の特徴及び態様を説明する。しかしながら、できる限り、これらの特徴がハンドオーバとは無関係な無線リソースの比較評価技術に有用で又はより広範囲に使用されると理解されるべきである。１つの実施例では、後者は前者の準備段階として理解されてもよい。
【００４８】
図１は、本発明がその効果を発揮するシナリオを示す平面図である。図１は、セルの平面図として理解されてもよい。セルには様々なノード１１、１２、１３、１４がある。それらの一部又は全部が固定されてもよい。ノード１１、１２及び１３は、ビーム２１、２２、２３の送信、即ち、指向性無線送信に適用するが、ノード１４は、「ブロードキャスト」と呼ばれる点線の円２４に示される無指向性送信を行う。１０は、ネットワークへの無線接続を有するＵＥ又はネットワークへの無線接続を必要とするＵＥを示す。２０は、該ＵＥの軌跡を示す。
【００４９】
当業者は、示されるビーム２１、２２、２３及びブロードキャスト２４のそれぞれのカバレッジエリアの境界がハード境界ではなく、合理的な無線品質が予想されてもよい閾値として理解されてもよい。
【００５０】
ユーザ装置（ＵＥ）１０は、ビーム２３から離れ且つビーム２１及び２２の範囲に入ると仮定される。さらに、ビーム２１が専用ＲＡＣＨリソースを備えるが、ビーム２２がパブリックＲＡＣＨリソースを備えると仮定される。示される配置では、該状況は、ＵＥ１０がビーム２１を短時間に通過し且つビーム２２に長時間維持することである。ＵＥ１０がビーム２３から離れようとするため、ハンドオーバが実行しようとする。現在のサービングノード１３は、ソースノードしてハンドオーバを開始することができる。該ノード１３はｇＮＢ（「次世代ｎｏｄｅＢ」）であってもよい。これはノード１１及び１２に同様に適用する。
【００５１】
開始／命令した後、同期及び情報プロセスを実行して、ＵＥ１０に関連情報を提供し、そして該ＵＥと潜在的なターゲットノードを同期させることができ、該ターゲットノードがｇＮＢ、例えばノード１１又はノード１２であってもよい。
【００５２】
同期及び通知を行った後、ノード１１からのビーム２１又はノード１２からのビーム１２のどちらを使用するかを決定する。
【００５３】
以下では、ノード１１が「第１のノード」と呼ばれ、ノード１２が「第２のノード」と呼ばれる。ビーム２１が「第１のビーム」と呼ばれ、ビーム２２が「第２のビーム」と呼ばれる。
【００５４】
デフォルト設定は、第１のビーム２１が専用ＲＡＣＨリソースを備えるため、ＵＥ１０が第１のビーム２１を選択することであってもよい。しかし、この潜在的なデフォルト設定に関わらず、第１のビーム２１と第２のビーム２２の間の判断プロセスを継続することができる。
【００５５】
図２には関連する方法のステップが概略的に示される。決定プロセスを開始した後、ステップＳ１で、専用ＲＡＣＨリソースを備えた第１のビーム２１の品質ｑＡを査定する。これは上記方法のうちの１つで行われてもよい。
【００５６】
ステップＳ２で、第２のビーム２２におけるリソースの品質メトリックｑＢを査定する。さらに、該査定は、言及された方法及び態様に従って行われてもよい。
【００５７】
上述したように、技術的品質と組織的品質の観点から、品質メトリックｑＡ及びｑＢの品質査定には、技術的特性と組織的特性が含まれてもよい。図１に示すシナリオでは、第２のビーム２２はビーム２１に対して組織的な利点を有し、即ちＵＥ１０は、ビーム２２がより多くの予測された軌跡をカバーするため、ビーム２１よりもビーム２２でより長い時間維持することができる。従って、品質査定について、一方で、技術的特性を量子化することができる。しかし、同様に、上記の組織的特性を量子化することができる。最終的に、様々な個別の量子化は、定められたフォーマットで１つの特定の品質メトリックに統合されてもよい。
【００５８】
適切な変換を行った後、比較可能なフォーマット／コードで２つの品質メトリックｑＡ及びｑＢを決定することができる。例えば、それらは信号対雑音比（Ｓ／Ｎ比）として表されてもよい。理解すべきものとして、技術的特性以外の特性が品質メトリックに計算される場合、数字フォーマットはＳ／Ｎ比のフォーマットであってもよいが、数字は各特性の要約コンテナ（ｓｕｍｍａｒｉｚｉｎｇ  ｃｏｎｔａｉｎｅｒ）である。
【００５９】
ステップＳ３で、設定された品質偏差ｑＯを取得する。該設定された品質偏差ｑＯは、所定の値と予め記憶された値であってもよいし、新たに決定された値であってもよい。該設定された品質メトリックｑＯは、固定された一定値であってもよく、又はｑＡ又はｑＢに対する相対値であってもよい。フォーマットでは（変換後の可能性がある）、該設定された品質偏差ｑＯは、メトリック標準ｑＡ及びｑＢと比較されてもよい。該設定された品質偏差メトリックｑＯはローカルに保存され且つローカル記憶ユニットから検索されてもよく、又は外部から受信されてもよく、そしてニーズに応じて一時的に記憶されてもよい。
【００６０】
図２に示すステップＳ１、Ｓ２及びＳ３の順序が強制的ではないことに留意されたい。これらのステップの間の順序は異なってもよい。
【００６１】
上述したメトリックｑＡ及びｑＢ並びに設定された偏差ｑＯが利用可能になると、パブリックＲＡＣＨリソースの第２のビーム２２に関連する品質メトリックｑＢは、専用ＲＡＣＨリソースの第１のビーム２１の品質より少なくとも設定された品質偏差メトリックｑＯほど超えるか否かを決定する。ステップＳ４で該決定が行われる。ステップＳ４のクエリは、次の式で表すことができる。
【００６２】
ｑＢ＞ｑＡ＋ｑＯ
又は次のように書き換えられる。
【００６３】
ｑＢ−ｑＡ＞ｑＯ
パブリックＲＡＣＨリソースビーム２２の品質メトリックｑＢが専用ＲＡＣＨリソースビーム２１の品質メトリックｑＡを少なくとも設定された品質偏差メトリックｑＯほど超えることが決定された場合（Ｓ４での「はい」）、品質メトリックｑＢに対応する、パブリックＲＡＣＨリソースを備えた第２のビーム２２を選択して使用する。そうでない場合、品質メトリックｑＡと専用ＲＡＣＨリソースを備えた第１のビーム２１を選択する。これらの選択は、対応するマークを生成すること及び／又は対応するビームを使用して必要な設定を直ちに行うことにより、それぞれステップＳ５及びＳ６で行われる。これらのステップＳ５、Ｓ６で行われた選択は、以前の選択又は潜在的なデフォルト設定を上書きす。
【００６４】
査定されたメトリックの差ｑＢ−ｑＡに加えて、その比ｑＢ／ｑＡをさらに使用できる。その後、設定された品質偏差メトリックｑＯをこのような別の関係に適合させる。それは１であるか、１より大きい。
【００６５】
ステップＳ７で、選択を関連マークとして記憶することができる。直ちに使用する場合、無線ハードウェアは該選択に調整され、選択されたビームに調整されてもよい。同様に、他の箇所で選択する場合、選択結果を伝送することができる。
【００６６】
実際の使用において、第１のビーム２１又は第２のビーム２２の間で行われた決定により、選択されたビーム２１又は２２が後のＲＡＣＨプロセスに使用される。該ＲＡＣＨプロセス後に使用されてもよい。これ自体は既知であり、ここで説明を省略する。
【００６７】
上述したように、図２に示すプロセスは、行われるハンドオーバに関連するハンドオーバ命令によってトリガされてもよく、又は予防的に他の状況によってトリガされてもよい。
【００６８】
好ましくは、ＵＥが真及び実際の無線状況を確認することができるため、ステップＳ１及びＳ２におけるメトリックｑＡ、ｑＢに関する品質メトリックの査定はＵＥ１０で行われる。
【００６９】
ステップＳ３において、設定された品質偏差ｑＯを取得する動作は、所定の値と予め記憶された値が保存された記憶ユニットを読み取るように簡単に行われてもよい。しかし、同様に、該取得はより複雑であってもよい。例えば、設定された品質偏差ｑＯは変更されたネットワークポリシー、負荷分散要求などに従って設定されてもよい。このような要求を知っている固定装置で該設定された品質偏差ｑＯを決定することができ、その後、それを判断エンティティ、例えばＵＥ１０に伝送することができる。逆にも同様であり、ＵＥ１０は、ステップＳ１及びＳ２の査定を実行することができ、そして結果を固定装置に伝送することができる。
【００７０】
図３には品質メトリックｑＡ、ｑＢと設定された品質偏差メトリックｑＯの間の関係が示される。横座標が専用ＲＡＣＨリソースを備えたビームの品質メトリックｑＡ、又は該ビームにおけるリソースの品質メトリックｑＡを表し、縦座標がパブリックＲＡＣＨリソースを備えたビームのメトリックｑＢ、又はビームにおけるリソースのメトリックｑＢを表す。線３１が両者の同じ位置を示す。線３２が線３１に対して設定された品質偏差ｑＯほど外れ、ここで該偏差が定数として仮定される。前記線３１と線３２は領域Ｉ、ＩＩ及びＩＩＩを限定する。領域Ｉでは、専用ＲＡＣＨビーム２１のｑＡが、パブリックＲＡＣＨビーム２２のｑＢより大きい場合、ビーム２１における専用ＲＡＣＨリソースを選択する。領域ＩＩでは、ビーム２２におけるパブリックＲＡＣＨリソースの品質メトリックｑＢが専用ＲＡＣＨリソースビーム２１のｑＡより大きい。しかし、前者は、後者を設定された品質偏差ｑＯほど超えない。言い換えれば、図４のＳ４での判断が「いいえ」となり、従って、図１の専用ＲＡＣＨリソースビーム２１を依然として選択する。
【００７１】
領域ＩＩＩでは、ビーム２２におけるパブリックＲＡＣＨリソースの品質メトリックｑＢがビーム２１における専用ＲＡＣＨリソースの品質メトリックｑＡを、設定された品質偏差ｑＯほど、又はそれ以上超える。その後、ビーム２２におけるパブリックＲＡＣＨリソースを選択して決定する。これは図２のステップＳ４での「はい」の判断に対応する。
【００７２】
上記判断スキームにより、専用ＲＡＣＨリソースがいくつかの低い品質メトリックを示しても、選択されて使用されるため、専用ＲＡＣＨリソースビームがパブリックＲＡＣＨリソースビームより優先される。ネットワーク全体の実行の観点から、品質の決定に関わらず、専用ＲＡＣＨリソースビームが他のＵＥのアクセスと衝突する可能性が低いので、専用ＲＡＣＨリソースビームを優先的に選択することによって、アクセス衝突と関連するシグナリングのオーバヘッド及び遅延を回避するため、これは、理想的である。これと比較して、パブリックＲＡＣＨリソースビームの品質が専用ＲＡＣＨリソースビームの品質より設定された品質偏差メトリックｑＯに反映されるような程度高い場合、該方法によりパブリックＲＡＣＨリソースビームを使用してネットワークの全体性能とユーザ満足度の向上を再度試みることができる。
【００７３】
移動通信における無線リソースのための比較評価方法は、利用可能な専用ＲＡＣＨリソースの第１の品質メトリックｑＡを査定することと、利用可能なパブリックＲＡＣＨリソースの第２の品質メトリックｑＢを査定することと、０より大きい設定された品質偏差メトリックｑＯを取得することと、第２の品質メトリックが第１の品質メトリックを少なくとも設定された品質偏差メトリックｑＯほど超える場合、第２の決定を行い、そうでない場合、第１の決定を行うこととを含む。
【００７４】
移動通信における無線リソースのための比較評価方法は、さらに、第１のビームにおける専用ＲＡＣＨリソースの第１の品質メトリックｑＡを査定することと、第２のビームにおけるパブリックＲＡＣＨリソースの第２の品質メトリックｑＢを査定することと、前記査定された品質メトリックｑＡ、ｑＢの間の実際の品質偏差メトリックｑＤを取得し、前記実際の品質偏差メトリックｑＤに基づいて決定を行うこととを含む。前記実際の品質偏差メトリックｑＤは前記査定されたメトリック＝測定されたメトリックｑＡ、ｑＢ場合の差（ｑＤ＝ｑＢ−ｑＡ）又は比（ｑＤ＝ｑＢ／ｑＡ）、又は前記査定されたメトリックｑＡ、ｑＢに関する別の適切に調整及びフォーマットされた別の数量として取得されてもよい。
【００７５】
前記決定は、対応するデータをデータタプルとして簡単に使用及び／又は記憶及び／又は送信することであってもよく、後続の評価又は他の用途に用いられる可能性がある。これらのデータは、定期的に査定、決定、保存、伝送及び評価されてもよいし、いくつかのイベントによってトリガされてもよい。このようなデータタプルは前記第１の品質メトリックｑＡ及び／又は第２の品質メトリックｑＢ、それらの実際の偏差メトリックｑＤ（例えば、ｑＡ−ｑＢ又はｑＡ／ｑＢとして決定される）及び／又は取得された、設定された品質偏差メトリックｑＯ、日付、時間、位置、関連する可能性があるネットワークリソース及び設定を含むことができる。前記データタプルは、即時又は後続のローカル又は遠隔評価に用いられてもよく、例えば、意味のある統計の取得、又は即時のさらなる措置又はプロセス、例えばネットワーク構成パラメータの連続的な適応又は学習設定、同期した再構成、ハンドオーバ管理などに用いられてもよい。設定された品質偏差メトリックｑＯを含めないデータは設定された品質偏差メトリックｑＯの確立に用いられてもよい。
【００７６】
様々な比較評価結果がさらなる使用のための比較品質統計を確立するために使用されてもよい。このような統計は、即時に決定されてもよく、及び／又はスペース／位置／セル／ビームで決定されてもよい。これらの統計は、評価結果を受信する適切なサイトで確立されてもよい。これらの統計は、上記の準備をして送信する可能性があるデータタプルに基づいて確立されてもよい。これらの統計は、ネットワークパラメータの設定に用いられてもよく、時間及び／又は位置／セル／ビームに依存することができる。
【００７７】
また、無線リソースの比較評価及び無線リソース管理のための対応装置が提供される。
【００７８】
本明細書の請求項に記載される特徴は、明示的に記載されていない場合、他の特徴と組み合わせられてもよい（該組み合わせが技術的に実行可能な範囲で）と考えられてもよい。あるコンテキスト又は実施例又は図面又は請求項に記載される特徴は、該コンテキスト又は実施例又は請求項又は図面と技術的に実行可能な範囲で分離されてもよいと考えられるべきであり、そして他の図面又は請求項又は実施例又はコンテキストと技術的に実行可能な範囲で組み合わせられてもよいと考えられるべきである。方法の説明も関連する実施装置又はデバイスの説明として考えられるべきであり、逆にも同様である。
【００７９】
符号の説明
１０  ユーザ装置−ＵＥ
１１、１２、１３、１４  固定ノード
２０  ユーザ装置の軌跡
２１  専用ＲＡＣＨリソースを備えたビーム
２２  パブリックＲＡＣＨリソースを備えたビーム
２３  ビーム
２４  ブロードキャスト領域
Ｓ１〜Ｓ７  方法のステップ
３１、３２  図における線
ｑＡ  専用ＲＡＣＨリソースビームの品質メトリック
ｑＢ  パブリックＲＡＣＨリソースビームの品質メトリック
ｑＤ  実際の品質偏差メトリック
ｑＯ  設定された品質偏差メトリック
【図１】
2021501507.tif 000003
【図２】
2021501507.tif 000004
【図３】
2021501507.tif 000005
【国際調査報告】
2021501507.tif 000006
2021501507.tif 000007